(57)【要約】【課題】踏み台は１点１機能では使える範囲が限られる。家庭では子供の洗面から吊り戸棚、及び天井灯の取替えまで使えるとよい。本発明は踏み台を他の台と組み合わせて多段の高さをもつ踏み台を提供する。【解決手段】複数の踏み台と基礎台を設け、個々に使う他に基礎台に踏み台を乗せて複数の高さを追加する構成である。３点構成で４通りのバリエーションを備えて生活パターンに応じた範囲をカバーした。【選択図】図１
2011231606.tif 000002
【特許請求の範囲】
【請求項１】
基礎台に基礎枠を設けて上部の枠に凸部を配置し、高さを違えて複数の踏み台て設け、個々の台の上部に踏み面と下部に台枠を設け、その台枠に穴を配置して凸部に嵌合し、複数の高さを得ることを特徴とする踏み台。
【請求項２】
請求項１記載の踏み台において、踏み面を両足で踏ん張れる広さに設け、外向きの台枠とその近くに把持部を設け、一方の基礎枠を把持部のぶん凹ませて設け、この基礎枠に踏み面から挿入して把持部を嵌め込んで踏み台を収容することを特徴とする請求項１記載の踏み台。
【請求項３】
請求項１記載の基礎台に踏み台を嵌合する構成において、凸部及び穴を対角線上または対称の位置に配置して、踏み台を構成し、または収容する際に前後左右かまわずに嵌合することを特徴とする請求項１記載の踏み台。
【発明の詳細な説明】
【技術分野】
【０００１】  本発明は踏み台に関する。
【背景技術】
【０００２】  踏み台は、折り畳めて運びやすいものや脚立風で高所に使え、椅子や容器に兼用できるもの、踏み台を階段に使ったり台同士で収容し合う発明もあり、多種多様である。例えば特許文献１広報及び特許文献２広報。
踏み台は、１点１機能に片寄らずに個々の台と台を組み合わせると高い踏み台が得られ、これを台同士で収容し合うと賢い踏み台になる。
【先行技術文献】
【特許文献】
【０００３】
【特許文献１】  登録実用新案第３００８４２０号広報
【特許文献２】  特開２００４−３２４１３１号広報
【発明の概要】
【発明が解決しようとする課題】
【０００４】  複数の踏み台を台に乗せて複数の高い踏み台を成し、子供の洗面から天井灯の取替えまでカバーする踏み台を目指す。個々の踏み台は広い踏み面を持ち、高い台は残りの台を階段に使う安全性を備えたい。
一方、踏み台が嵩張る弱点に対しては台同士で収容し合う概念をもって容積最小を目指して収納に備え、または収容したままで他の用途に使う手段や個々に分散使用できる用途を併せ持つことも大切になる。
【発明を解決するための手段】
【０００５】  基礎台及びＡ踏み台とＢ踏み台を個々の高さに設け、基礎台の基礎枠と凸部に踏み台の台枠と穴を嵌合して複数の高い踏み台を得た。これらの台には把持部や把手を設けて運べる他に取っ手も使える。高い踏み台は残りの台が階段になり、踏み面は踏ん張れる広さを持つ。凸部と穴を対称に配置して前後左右かまわずに嵌合できる。また台枠を外向きに設け、その側面部を凹ませて基礎枠に把持部を乗せたり、把持部を基礎枠内に嵌め込み容積最小で収容できる手段も提供した。また、収容したままで雑容器に使える。
【発明の効果】
【０００６】  基礎台と２個の踏み台により４通りの高さを内包する踏み台であり、子供の洗面から天井灯の取替えまでカバーする。高い踏み台は残りの台を階段に使え、両足で踏ん張れる踏み面には取っ手も付けられ、または把持部や把手で持ち運べる。収容面では、踏み台を基礎台に容積最小で収容して収納に備え、または収容したままで脱衣かご等の雑容器に使える。
【図面の簡単な説明】
【０００７】
【図１】基礎台にＡ踏み台を乗せ他のＢ踏み台を階段にした側面図
【図２】基礎台にＡＢの踏み台を収容する４通りの様子を表す略図
【図３】内向きの基礎枠を設けた基礎台の構成例を示した略図
【図４】基礎枠の凸部と台枠の穴を嵌合する様子を示す部分断面図
【図５】踏み台を把持部で支えて基礎台に収容する様子を示す略図
【図６】基礎台に踏み台を容積最小で収容する事例を示す側面図
【図７】踏み台に取っ手を設けた事例を示す正面図
【発明を実施するための形態】
【０００８】  本発明は、小さな子供の洗面から天井灯の取替えまでの高さを備え、且つ安全な踏み台を想定した。図１は、基礎台にＡ踏み台を乗せて最大高の踏み台を成してＢ踏み台を階段にした側面図である。
基礎台１の高さを２５０ｍｍ、Ａ踏み台２を同じく２５０ｍｍ、Ｂ踏み台３を１５０ｍｍに設けた場合、その最大高は５００ｍｍになる。また、安全性に配慮して踏み面６を縦に２００ｍｍ、横に３００ｍｍ程度にした。
踏み台２個と基礎台の３点で４通りの高さで使え、３個では６通り、言わば複数の踏み台のぶん高さが増える技術思想である。家庭用は、この３点構成で十分と思える。年配者には４００ｍｍ程度が安全と思うが、その個数と寸法の設計は実施者の自由領域と考える。本発明は３点構成で説明する。
【０００９】  その形も自由だが、図２は上から見れば長方形で横から見れば台形の踏み台を逆さにして基礎台に収容する略図である。基礎枠４と台枠７が外向きか内向きかで４通りの収容方法になる。これは踏み面６と両枠を同形とした条件により全体の容積及び踏み台としての外観等が変わり、収容して収納や運送する場合に影響する。身勝手な評価を含めて表１に示す。
【表１】
2011231606.tif 000003
Ｐは台が納まる位置を示しこれで容積が決まる。図（ａ）と（ｃ）は台枠が外向きで納まりやすく同一の容積を成す。図（ｂ）と（ｄ）は内向きで容積が膨らみ収容と収納等が困難、踏み面も容積に関わる。
踏み台の機能はすべてが同じで全否定はできないが、（ａ）を第１選択とした。これは容積最小で収納や運送に有効、踏み台としての外観は（ｃ）よりも基礎台の凸凹がなく安定している。しかし（ｂ）はすっきりした外観と全体に安定感があり、外観としては最良、収容面では最悪である。やはり、外向きの台枠７が収容面では欠かせない要素になる。
【００１０】  これからは第１選択で説明する。図３のように基礎台１を設ける。基礎台は高い踏み台を構成し、踏み台を逆さにして収容する。まず断面が長方形の空洞体を縦に置きその下部を内向きに折り曲げてＬ形断面の構造を内面全周に設ける。これは箱のような底面をもつ構造でもよい。さらに空洞体の上部内周にも同じくＬ形構造を設けると、断面がコの字状になる。
上下のＬ形構造は、図２に示した外向きを含めて基礎枠４と言う。基礎枠内には突っ張る形で補強部材をバランスよく配置する。第１選択の（ａ）は補強部材が内部に隠れて見えない美観を考慮した。
【００１１】  次に、基礎枠４の角部４個所に丸形の凸部５を設け、これに台枠７の穴を嵌合する。図４はその１個所の断面図である。凸部の直径を８ｍｍ、高さを１０ｍｍ程度に設けると基礎枠の出幅は１５ｍｍ程度になる。
本発明では転倒により台同士がバラバラになるのを防ぐために凸部に小穴を設けてピンで止める事例とした。因果関係が接続部になりやすいのでＰＬ法に準じた対策とする。尚、凸部を増設するには上記の対角と同じく対称の位置に設けると踏み台を前後左右かまわずに乗せられる。これは図６により後述する踏み台を収容する際にも共通した利便が生まれる。
【００１２】  次に、図１のように側面と正面が台形を成す踏み台を設ける。その高さはＡ踏み台２が２５０ｍｍ、Ｂ踏み台３は１５０ｍｍ程度とし、その上面には縦に２００ｍｍ、横に３００ｍｍの共通した踏み面６を持つ。
踏み面は最大高５００ｍｍで踏ん張れる広さとは言い切れず、一方で収容する容積が膨らむ問題にも関わっており、これらを後述したい。尚、踏み面や台枠に滑り止め素材を貼ると安全性が高まる。
踏み台の下部全周に基礎枠と同じＬ形構造の台枠７を外向きに設け、台枠の角部４個所に丸形の穴８を設ける。図４のように穴８は凸部５と嵌合する位置にあり、基礎枠と台枠の面同士を確実に接しさせ、これをピンで固定する。尚、踏み台の内側に補強部材を設けたり台を肉厚にしてもよい。
【００１３】  次に、図５の略図のように把持部９を設ける。これは台枠７近くに指が入る横穴と上下に偏平板を突出させ、下の偏平板は基礎枠や台枠に接して踏み台を浮かせ上の偏平板で取り出す。上の偏平板は台枠と兼用してもよい。
図５は、外向きの踏み台（ａ）の側面がくさび状に食い込むのを防止した。しかし図２の（ｂ）と（ｄ）は両枠にとどかず食い込みが解消できない。これは前項の踏み面と容積の問題と大きく関わる。
これは台枠７の下部側面を凹ませて点Ｐが接する隙間を広げる。極論すれば踏み面の近くまで凹ませると点Ｐは台枠近くまで移動する。従って点Ｐの位置に把持部を設けると（ｂ）と（ｄ）でも乗る位置がある。
この点で（ａ）は把持部が楽に乗り隙間の余りぶん踏み面を広げられる。しかし、これは２０ｍｍ程度の拡張に止まり、広い踏み面は基礎台そのものの設計変更を要する。元からぎりぎりで構成したが故の結果である。
本発明では、何をもって広い踏み面と言えるかという課題を残しつつも次に進むことにした。それは前記の隙間の余りを利用して把持部を基礎枠内に嵌め込む構成にした。その（ａ）の把持部を嵌め込んだ例を図６に示す。
これで把持部一つぶんの容積が減り、且つ凸部に穴を嵌合して前後左右かまわずに収容できる特徴になる。把持部９の専有高を４０ｍｍとすると踏み台２個を収容しても増える容積は概ね５０ｍｍに押さえ込める。
しかし、Ｂ踏み台はＡ踏み台の把持部と重なるために嵌め込みは難しい。また基礎台にも把持部と同じ構造の把手１０を設ける。以上により踏み台の形が変形するので略台形と表現したい。
【００１４】  収容では水平寸法を減らす目的もあったが、踏み台を深く収容するぶん水平には効果が薄い。これは踏み面（縦２００ｍｍ、横３００ｍｍ）と僅かに減った略台形の側面、基礎枠の幅（１５ｍｍ）、点Ｐの隙間、台の厚み等の和が水平面の寸法になり、踏み面の広さが大部分を占める。
従って、踏み面以外の寸法は片方で４０ｍｍ程度、その水平面は縦に２８０ｍｍ、横に３８０ｍｍ程度になる。ちなみに収容時の高さは図５では３３０ｍｍ、図６の例では３００ｍｍ程度に納まって容積最小になる。
少し嵩張るが、要は足で踏ん張れる踏み面を持ち、１５０ｍｍから５００ｍｍまで４通りの踏み台を収容すると考えると妥当な容積にも思える。以上を勘案した場合、踏み面を縦横にもう少し広げて設計してもよい。
【００１５】  次に、図７のように踏み台に取っ手１１を設ける。取っ手は、踏み面６に雌ネジ部を２個所に設け、これに継ぎ足す２本の中間ポールを設け、ポールの先端部に連結してＵ字状の握り部を設けた総称を言う。
中間ポールは、上下に雄ネジに設けて片方向へ回して踏み面と握り部を連結固定して抜けによる事故を防止する。その単品を基礎台等の内部に納まる構成に設けると運送面で有効である。取っ手の高さは、前記の容積例で勘案すると概ね６５０ｍｍ、床面からの最大高は１１５０ｍｍ程度になる。
これは手早く持ち運べて踏み台や座台に使え、高い踏み台は乗り降りが楽になる。取っ手は使い勝手に応じて自由に着脱できること、装着したら抜けない安全性に特徴がある。勿論、寸法等の設計は自由である。
【００１６】  以上が本発明の主要な構成である。本発明は広い踏み面と容積最小を課題にしたが、これは互いに逆を求めた矛盾がある。従って、設計の中で色々なファクターから抽出して妥協した構成が必要と考える。
この踏み面を両足で踏ん張れる、と記述してきたが、例えば年配者に最大高４００ｍｍ、踏み面を縦２５０ｍｍ、横３５０ｍｍに提供しても人によっては踏ん張れるとは限らず、この広さの定義が曖昧である。
両足で踏ん張れる、とは踏ん張れる高さの設計ができるという意味である。踏み面を変えてもその構成が変わることはない。これは請求項でも両足で踏ん張れる広さ、という表現しか思いだせないのであえて補足説明した。
尚、背景技術の項で台と台を組み合わせて高い踏み台を得る旨を述べたのは踏み台のみで構成する考え方も含んでいた。踏み台３点の組み合わせは４通り、個々に使うぶんを加えると合計７通りになる理屈である。
しかし台を３段に組む思想は無謀であり、略台形を逆さに床に置く不安定性と外観、嵌合や収容面を解決できない。従って、一つの踏み台を基礎台に変更し、これをベースに２段構成で安全性を備え、基礎台から概ね５０ｍｍの高さ増の最小容積に４通りの踏み台を収容したことを付言しておきたい。
【符号の説明】
【００１７】  １  基礎台
２  Ａ踏み台
３  Ｂ踏み台
４  基礎枠
５  凸部
６  踏み面
７  台枠
８  穴
９  把持部
１０  把手
１１  取っ手
【図１】
2011231606.tif 000004
【図２】
2011231606.tif 000005
【図３】
2011231606.tif 000006
【図４】
2011231606.tif 000007
【図５】
2011231606.tif 000008
【図６】
2011231606.tif 000009
【図７】
2011231606.tif 000010